(57)【要約】      （修正有）【課題】ネットワークを介したコンテンツ配信システムにおいて、ユーザによるコンテンツ再生の自由な編集を実現する配信システム、配信方法、送信装置及びプログラムを提供する。【解決手段】送信装置が受信装置にコンテンツを配信するコンテンツ配信システムにおいて、受信装置は、コンテンツを受信する受信部と、コンテンツを再生する第１再生部と、コンテンツから、コンテンツの一部を選択する選択部と、コンテンツの一部を再生する第２再生部を有する。【選択図】図４
2016039612.tif 000002
【特許請求の範囲】
【請求項１】
送信装置が受信装置にコンテンツを配信するコンテンツ配信システムであって、
前記受信装置は、前記コンテンツを受信する受信部と、
前記コンテンツを再生する第１再生部と、
前記コンテンツから、前記コンテンツの一部を選択する選択部と、
前記コンテンツの一部を再生する第２再生部と、を有することを特徴とするコンテンツ配信システム。
【請求項２】
前記コンテンツは、複数のコンテンツを結合して生成されたことを特徴とする請求項１に記載のコンテンツ配信システム。
【請求項３】
前記複数のコンテンツは、マルチアングル映像の各アングル映像に対応することを特徴とする請求項２に記載のコンテンツ配信システム。
【請求項４】
前記受信装置は、前記コンテンツの一部の選択順番及び期間に関する情報を含むリスト情報を管理するリスト情報管理部を有し、
前記リスト情報管理部は、前記選択部による選択に基づいて、前記リスト情報を生成することを特徴とする請求項１から請求項３のいずれかに記載のコンテンツ配信システム。
【請求項５】
前記選択部は、前記リスト情報に基づいて、前記コンテンツの一部を選択することを特徴とする請求項４に記載のコンテンツ配信システム。
【請求項６】
前記受信装置は、シークバーを表示する表示部を有し、
前記シークバーは、前記コンテンツの一部の選択順番及び期間を判別するためのパターンを表示することを特徴とする請求項１から請求項５のいずれかに記載のコンテンツ配信システム。
【請求項７】
前記表示部は、前記第１再生部が再生する前記コンテンツを複数の領域に分割して表示する第１表示部を有し、
前記第１表示部は、分割された各領域にそれぞれ対応する前記パターンが付された前記コンテンツを表示することを特徴とする請求項６に記載のコンテンツ配信システム。
【請求項８】
各パターンは、模様及び／又は色彩によって区別されることを特徴とする請求項７に記載のコンテンツ配信システム。
【請求項９】
前記表示部は、前記第２再生部が再生する前記コンテンツの一部を表示する第２表示部を有し、
前記第２表示部は、前記第１表示部の分割された各領域より大きい領域に、前記コンテンツの一部を表示することを特徴とする請求項７又は請求項８に記載のコンテンツ配信システム。
【請求項１０】
前記受信装置は、前記リスト情報を前記送信装置に送信する送信部を有することを特徴とする請求項４から請求項９のいずれかに記載のコンテンツ配信システム。
【請求項１１】
前記受信部は、前記リスト情報を前記送信装置から受信することを特徴とする請求項４から請求項１０のいずれかに記載のコンテンツ配信システム。
【請求項１２】
前記リスト情報は、ユーザ個別に設定されるユーザ固有情報に含まれることを特徴とする請求項４から請求項１１のいずれかに記載のコンテンツ配信システム。
【請求項１３】
送信装置が受信装置にコンテンツを配信するコンテンツ配信方法であって、
前記受信装置は、前記コンテンツを受信する工程と、
前記コンテンツを再生する工程と、
前記コンテンツから、前記コンテンツの一部を選択する工程と、
前記コンテンツの一部を再生する工程と、を有することを特徴とするコンテンツ配信方法。
【請求項１４】
受信装置からリスト情報を指定するためのリスト情報要求を受信する受信部と、
前記受信装置にコンテンツを送信する送信部と、を有し、
前記送信部は、前記リスト情報要求に基づいて、前記コンテンツの一部の選択順番及び期間に関するリスト情報を、前記受信装置に送信することを特徴とする送信装置。
【請求項１５】
送信装置からコンテンツを配信される受信装置に、
前記コンテンツを受信する機能と、
前記コンテンツを再生する機能と、
前記コンテンツから、前記コンテンツの一部を選択する機能と、
前記コンテンツの一部を再生する機能と、を実現させるためのプログラム。
【発明の詳細な説明】
【技術分野】
【０００１】
本発明は、コンテンツ配信システム、コンテンツ配信方法、送信装置及びプログラムに関する。
【背景技術】
【０００２】
情報通信端末の高性能化やネットワークの広帯域化により、ユーザが手軽にコンテンツの視聴を楽しめるようになってきている。例えば、複数の映像をサムネイル形式で静止画として表示しておき、ユーザがサムネイルを選択することで、選択した映像を配信する方法がある（例えば、特許文献１）。
【０００３】
また、ＤＶＤ−Ｖｉｄｅｏフォーマットでは、１つの場面に対して複数の映像を収録するマルチアングルが規格化されている。マルチアングルに対応したＤＶＤにおいては、ユーザはリモコンなどの操作により、視聴中に複数の映像を切り替えて楽しむことが可能である。
【先行技術文献】
【特許文献】
【０００４】
【特許文献１】特開２００７−１８９５５８号公報
【発明の概要】
【発明が解決しようとする課題】
【０００５】
ユーザの観点からは、ネットワークを介したコンテンツ配信システムにおいても、複数のコンテンツ（映像、音声など）を、ユーザが所有する携帯端末などのユーザ端末で再生中に容易に切り替え可能であることが好ましい。しかしながら、そのようなコンテンツ配信システムは、未だ提案されていない。例えば、コンテンツがストリーミング配信される場合には、ユーザがサムネイルを選択する上述の方法では、１つ１つの映像配信を切り替える際に動画ファイルの読み込みが発生し、遅延が生じる。遅延が生じると、動画再生に断絶が生じることがある。特に、各コンテンツが同期されている場合には、読み込みの遅延による再生の断絶が、ユーザの体感品質の劣化を招く。
【０００６】
また、上述のマルチアングル対応ＤＶＤのような従来のシステムでは、映像の切り替えを行うと、他の切り替え可能な映像の表示を行うことができず、真に視聴を所望する映像の特定が容易でない。また、ユーザによる映像の切り替えについてはその場限りのものであり、同じ切り替え順序（再生順序）を繰り返し楽しむことができないという課題がある。
【０００７】
本発明は、かかる点に鑑みてなされたものであり、ネットワークを介したコンテンツ配信システムにおいて、ユーザによるコンテンツ再生の自由な編集を実現することができるコンテンツ配信システム、コンテンツ配信方法、送信装置及びプログラムを提供することを目的の１つとする。
【課題を解決するための手段】
【０００８】
本発明の一態様に係るコンテンツ配信システムは、送信装置が受信装置にコンテンツを配信するコンテンツ配信システムであって、前記受信装置は、前記コンテンツを受信する受信部と、前記コンテンツを再生する第１再生部と、前記コンテンツから、前記コンテンツの一部を選択する選択部と、前記コンテンツの一部を再生する第２再生部と、を有することを特徴とする。
【発明の効果】
【０００９】
本発明によれば、ネットワークを介したコンテンツ配信システムにおいて、ユーザによるコンテンツ再生の自由な編集を実現することができる。
【図面の簡単な説明】
【００１０】
【図１】本発明の一実施形態に係るコンテンツ配信システムの概略構成の一例を示す図である。
【図２】本発明の一実施形態に係るユーザ端末の機能構成の一例を示す図である。
【図３】本発明の一実施形態に係るサーバの機能構成の一例を示す図である。
【図４】本発明の一実施形態に係る処理の一例を示すシーケンス図である。
【図５】本発明の一実施形態に係るユーザ端末によるコンテンツ編集画面の一例を示す図である。
【図６】分割領域の数が６である場合の一例を示す図である。
【図７】選択コンテンツを全画面表示する場合の一例を示す図である。
【図８】本発明の一実施形態に係る処理の別の一例を示すシーケンス図である。
【図９】本発明の一実施形態に係るリスト情報の選択画面の一例を示す図である。
【発明を実施するための形態】
【００１１】
上述した課題を解決するため、本発明者らは、複数の切り替え対象のコンテンツを結合して配信し、配信されたコンテンツから所定の領域を選択して表示させることを着想した。これにより、映像の切り替えによる遅延を低減しつつ（例えば、遅延をゼロにしつつ）、複数の映像を切り替えてユーザに視聴させることができる。
【００１２】
また、本発明者らは、ユーザ端末で、選択した領域と、配信されたコンテンツと、を並べて視聴することを着想した。選択した領域と配信されたコンテンツとを同時に再生して表示することにより、所望の映像についてのユーザの体感品質を向上することができる。また、選択した領域を拡大表示するとともに、配信されたコンテンツを縮小表示することで、ユーザの体感品質を更に向上し、かつ、コンテンツの選択を容易にすることが可能となる。
【００１３】
また、本発明者らは、ユーザによるコンテンツの選択結果を保存することを着想した。これにより、ユーザはお気に入りの再生順序を後で楽しんだり、他のユーザに提供したりすることが容易に実現できる。
【００１４】
以下、本発明に係る実施形態について、添付図面を参照して詳細に説明する。
【００１５】
各実施形態では、送信装置が受信装置にコンテンツを配信する場合について説明する。以下の例では送信装置をサーバとし、受信装置をユーザ端末（携帯端末）として説明するが、これに限られない。また、ユーザによって選択された（編集された）コンテンツ又はコンテンツの一部を「選択コンテンツ」と呼び、選択コンテンツの編集元となるコンテンツを「候補コンテンツ」と呼ぶ。なお、選択コンテンツ及び候補コンテンツは、他の呼称が用いられてもよい。
【００１６】
また、各実施形態では、配信はストリーミング形式で実施されるものとするが、これに限られない。例えば、配信は、プログレッシブダウンロードを含むダウンロード形式などで実施されてもよい。また、ユーザ端末は、コンテンツの所定の部分をキャッシュする構成を有していてもよい。
【００１７】
（システム構成）
まず、本発明の一実施形態に係るコンテンツ配信システムについて説明する。
【００１８】
図１は、本発明の一実施形態に係るコンテンツ配信システムの概略構成の一例を示す図である。図１に示すコンテンツ配信システム１は、ユーザ端末１０と、サーバ２０と、ネットワーク３０と、を含む。ユーザ端末１０はネットワーク３０を介してサーバ２０に接続される。
【００１９】
ユーザ端末１０は、ネットワーク３０を介してサーバ２０に接続する機能を有する端末であり、本発明に係る受信装置を構成する。なお、ユーザ端末１０は、携帯電話、スマートフォン、タブレット型端末などの携帯端末（移動通信端末）であってもよいし、パソコン、多機能テレビ、セットトップボックス（例えば、Apple  TV（登録商標）、Chromecast）などの固定通信端末であってもよい。また、ユーザ端末１０は、ハイブリッドキャストを用いて配信されるコンテンツを受信してもよい。
【００２０】
サーバ２０は、ユーザ端末１０からの要求に応じてコンテンツを配信する機能を有する装置であり、本発明に係る送信装置を構成する。
【００２１】
ネットワーク３０は、インターネット、モバイルネットワーク、ＬＡＮ（Local  Area  Network）、ＷＡＮ（Wide  Area  Network）などの様々なネットワークを含む。なお、ネットワーク３０は、本実施形態では無線で構成されるものとするが、有線で構成されてもよい。
【００２２】
図２は、本発明の一実施形態に係るユーザ端末の機能構成の一例を示す図である。図２に示すように、ユーザ端末１０は、送受信部１１と、再生部１２と、出力部１３と、入力部１４と、選択部１５と、リスト情報管理部１６と、記憶部１７と、制御部１８と、を有する。なお、図２では、本実施形態における特徴部分の機能ブロックを主に示しており、ユーザ端末１０は、他の処理に必要な他の機能ブロックも有しているものとする。
【００２３】
送受信部１１は、ネットワーク３０を介して、サーバ２０との間でコンテンツや、コンテンツ配信に必要な情報（例えば、後述のユーザ固有情報）などの送受信を行う。送受信部１１は、後述の入力部１４がユーザの操作を受けるなどの所定の場合に、ネットワーク３０を介してサーバ２０にコンテンツ配信要求を送信する。また、送受信部１１は、サーバ２０が送信したコンテンツを受信し、再生部１２に出力する。送受信部１１は、本発明に係る技術分野での共通認識に基づいて説明されるトランスミッター／レシーバー、送受信回路又は送受信装置により構成することができる。なお、送受信部１１は、送信部及び受信部から構成されてもよい。
【００２４】
再生部１２は、送受信部１１から入力されたコンテンツの再生を行って、出力部１３に出力する。例えば、コンテンツが映像であれば、コンテンツに係る映像フォーマットに従って、出力部１３が認識できる形式で再生用データに変換する。再生部１２は、本発明に係る技術分野での共通認識に基づいて説明されるプレイヤー、画像／映像／音声処理回路、画像／映像／音声処理装置、アンプなどにより構成することができる。
【００２５】
また、再生部１２は、サーバ２０から配信されたコンテンツ（候補コンテンツ）を再生する第１再生部と、選択部１５で選択された当該コンテンツのうちの一部（選択コンテンツ）を再生する第２再生部と、を有する。ここで、第２再生部は、第１再生部で再生するコンテンツの一部をコピーして再生する構成が好ましい。なお、再生部１２は、第２再生部を介さずに、第１再生部の再生結果の一部を直接出力部１３に出力することで選択コンテンツの出力を行ってもよい。
【００２６】
出力部１３は、再生部１２から入力されたコンテンツの再生用データの出力を行う。出力部１３は、複数の機能部から構成されてもよい。例えば、出力部１３は、視覚的なデータを表示する表示部１００と、音声データを出力する音声出力部と、から構成されてもよい。表示部１００は、本発明に係る技術分野での共通認識に基づいて説明されるディスプレイ、モニタなどの表示装置により構成することができる。また、音声出力部は、本発明に係る技術分野での共通認識に基づいて説明されるスピーカーなどの出力装置により構成することができる。
【００２７】
入力部１４は、ユーザからの操作により、ユーザ端末１０に対する入力を受け付け、入力結果を選択部１５に出力する。入力部１４は、本発明に係る技術分野での共通認識に基づいて説明されるキーボード、マウスなどの入力装置により構成することができる。また、入力部１４は、表示部１００と一体となった構成（例えば、タッチパネル）としてもよい。
【００２８】
選択部１５は、入力部１４から入力されたユーザの操作や、後述のリスト情報管理部１６から入力されるリスト情報に従って、再生部１２で再生するコンテンツの部分を選択する。具体的には、選択部１５は、第１再生部で再生するコンテンツから、第２再生部で再生対象となる一部を選択して、再生部１２に出力する。この結果、再生部１２は、上記選択されたコンテンツの一部を第２再生部で再生して、出力部１３に出力させることができる。また、選択したコンテンツを示す情報（例えば、選択結果）は、リスト情報管理部１６に出力される。
【００２９】
リスト情報管理部１６は、選択部１５から入力された、選択したコンテンツを示す情報に基づいて、再生部１２で再生中のコンテンツのリスト情報を生成する。ここで、リスト情報は、選択コンテンツに関する情報のことをいい、例えば、候補コンテンツの一部についての選択順番及び／又は選択期間に関する情報のことをいう。また、リスト情報管理部１６は、送受信部１１でサーバ２０からリスト情報を受信した場合、当該リスト情報を所定のコンテンツに対応付けてもよい。
【００３０】
記憶部１７は、コンテンツ配信に関する種々の情報を格納する。例えば、記憶部１７は、ユーザ固有情報を保存してもよい。ここで、ユーザ固有情報とは、ユーザ端末１０を利用するユーザに関連付けられた情報のことをいう。なお、ユーザ端末情報は、ユーザ端末１０及びサーバ２０のいずれか一方に保存されてもよいし、ユーザ端末１０及びサーバ２０の両方に保存されてもよい。
【００３１】
ユーザ固有情報は、各ユーザで異なる個別の情報から構成される。例えば、ユーザ固有情報は、ユーザ識別子（ユーザＩＤ）、ユーザによるコンテンツの購入情報（レシート情報）、購入したコンテンツや配信されるコンテンツに対応する人物（例えば、アーティスト、演奏家など）又はイベント（例えば、コンサート、演劇、サーカス、ファッションショーなど）に関するメタ情報を含んでもよい。
【００３２】
また、記憶部１７は、入力部１４又は制御部１８からの指示に基づいて、リスト情報管理部１６が生成したリスト情報を保存してもよい。記憶部１７は、本発明に係る技術分野での共通認識に基づいて説明されるレジスタ、メモリ、ハードディスクなどにより構成することができる。なお、記憶部１７は外部記憶装置（例えば、外部サーバ）に搭載されてもよく、ユーザ端末１０は、送受信部１１により、ネットワーク３０を介して外部サーバの記憶部１７を用いる構成としてもよい。
【００３３】
制御部１８は、ユーザ端末１０全体の制御を実施する。例えば、制御部１８は、入力部１４からユーザの所定の操作を入力された場合に、サーバ２０に対して送受信部１１から所定のデータを送信するように制御してもよいし、再生部１２の再生処理を変更するように制御してもよい。制御部１８は、本発明に係る技術分野での共通認識に基づいて説明されるコントローラ、制御回路又は制御装置により構成することができる。
【００３４】
図３は、本発明の一実施形態に係るサーバの機能構成の一例を示す図である。図３に示すように、サーバ２０は、送受信部２１と、決定部２２と、記憶部２３と、制御部２４と、通信部２５と、を有する。なお、図３では、本実施形態における特徴部分の機能ブロックを主に示しており、サーバ２０は、他の処理に必要な他の機能ブロックも有しているものとする。
【００３５】
送受信部２１は、ネットワーク３０を介して、ユーザ端末１０との間でコンテンツ、ユーザ固有情報などの送受信を行う。送受信部２１は、本発明に係る技術分野での共通認識に基づいて説明されるトランスミッター／レシーバー、送受信回路又は送受信装置により構成することができる。なお、送受信部２１は、送信部及び受信部から構成されてもよい。
【００３６】
決定部２２は、コンテンツ配信要求を送信してきたユーザ端末１０に対して、当該ユーザ端末１０に係るユーザ固有情報に基づいて、配信するコンテンツを決定する。また、決定部２２は、ユーザ端末１０から送信されたリスト要求情報に基づいて、当該ユーザ端末１０が要求してきたリスト情報を決定する。
【００３７】
記憶部２３は、コンテンツ配信に関する種々の情報を格納する。例えば、記憶部２３は、各ユーザ端末１０のユーザ固有情報を格納してもよい。また、記憶部２３は、配信するコンテンツを保持してもよい。なお、コンテンツは、記憶部２３に保持されていなくてもよく、通信部２５を介して外部から入力されてもよい。また、記憶部２３は、サーバ２０と接続される外部サーバに搭載されてもよい。記憶部２３は、本発明に係る技術分野での共通認識に基づいて説明されるレジスタ、メモリ、ハードディスクなどにより構成することができる。
【００３８】
制御部２４は、サーバ２０全体の制御を実施する。例えば、制御部２４は、コンテンツのエンコード、トランスコードなどの処理や、ユーザからのコンテンツ要求の処理を実施する。決定部２２や、制御部２４は、本発明に係る技術分野での共通認識に基づいて説明されるコントローラ、制御回路又は制御装置により構成することができる。
【００３９】
通信部２５は、有線又は無線を介して、外部サーバや他のサーバ２０などと通信を行う。通信部２５は、本発明に係る技術分野での共通認識に基づいて説明されるトランスミッター／レシーバー、送受信回路、通信回路、送受信装置又は通信回路により構成することができる。
【００４０】
サーバ２０が配信するコンテンツ（候補コンテンツ）は、複数のコンテンツを１つにまとめて（結合して）作成されたものである。具体的には、候補コンテンツは、複数の映像コンテンツを空間的に並べたものを結合して生成された映像コンテンツであることが好ましい。例えば、候補コンテンツは、解像度（画素数）が３２０ｘ２４０である４つの映像コンテンツを縦に連結して作成された、解像度が３２０ｘ９６０の１つの映像コンテンツであってもよい。これにより、実際に配信されるのが１つの候補コンテンツであっても、実質的に複数のコンテンツの再生及び選択が可能となる。
【００４１】
このため、制御部２４は、複数のコンテンツを結合してユーザ端末１０に配信する制御を実施する。例えば、制御部２４は、決定部２２が決定した配信対象のコンテンツについて、記憶部２３に保持された複数の映像コンテンツを結合して１つの映像コンテンツを生成し、当該映像コンテンツを候補コンテンツとして送受信部２１に送信するように制御する。なお、コンテンツの結合は、サーバ２０での実施に限られない。例えば、記憶部２３に保持するコンテンツを、通信部２５を介して外部サーバに送信し、外部サーバに結合させてもよい。また、結合したコンテンツを、通信部２５を介して外部サーバから受信してもよい。
【００４２】
候補コンテンツの作成元となる複数のコンテンツは、例えば、マルチアングル映像を構成する各アングル映像である。ここで、マルチアングル映像とは、複数台のビデオカメラにより撮影した複数の映像を用いて作成される、様々な視点から成る映像である。例えば、コンテンツ提供者は、スポーツ、音楽やファッションショーなどの映像にマルチアングル映像を用いることで、臨場感の高いコンテンツを提供することができる。本実施形態に係るコンテンツ配信システムによれば、従来、専用機器又は専用ソフトウェアを用いて熟練編集者の手により作成されていたマルチアングル映像を、ユーザの好みによって自由に編集／作成することが可能となる。
【００４３】
なお、候補コンテンツは、複数のコンテンツを結合したものに限られない。例えば、制御部２４は、候補コンテンツとして、１つ又は複数のコンテンツをそのままユーザ端末１０に配信する制御を行ってもよい。
【００４４】
次に、上記構成を有するコンテンツ配信システムにおけるコンテンツ配信方法について説明する。以下では、ユーザ端末１０及びサーバ２０を、単にユーザ端末及びサーバと表す。
【００４５】
（第１の処理シーケンス）
本発明に係るコンテンツ配信方法を実現するユーザ端末及びサーバの処理シーケンスについて説明する。図４は、本発明の一実施形態に係る処理の一例を示すシーケンス図である。図４は、候補コンテンツから、ユーザの操作により選択コンテンツを決定してリスト情報を作成する処理のシーケンスを示している。なお、図４では、ユーザ端末が所定のアプリケーション（アプリ）を介してサーバと通信する場合を例に説明するが、これに限られない。
【００４６】
まず、ユーザ端末は、所定のアプリを起動する（ステップＳ１）。ユーザ端末は、アプリのユーザインターフェースを介して、再生したいコンテンツを選択する（ステップＳ２）。例えば、所定のアーティスト名と、サーバが提供可能な当該アーティストに係る楽曲名と、が並んだコンテンツ選択画面が表示され、ユーザの操作によりいずれかのコンテンツが指定される。
【００４７】
次に、ユーザ端末は、サーバに対して、ステップＳ２で指定されたコンテンツを示すコンテンツ配信要求を送信する（ステップＳ３）。コンテンツ配信要求は、ユーザ毎に異なるユーザ固有情報を含んでもよい。
【００４８】
サーバは、コンテンツ配信要求を受信すると、要求されたコンテンツを候補コンテンツとしてユーザ端末に配信する（ステップＳ４）。ここで、サーバは、候補コンテンツとして、配信要求によって直接指定されたコンテンツを配信してもよいし、ユーザ固有情報に基づいて決定したコンテンツを配信してもよい。
【００４９】
なお、ステップＳ４で、サーバがユーザ端末に対してコンテンツを直接配信する代わりに、他の装置から配信する構成としてもよい。例えば、サーバは、所定のコンテンツ配信網（ＣＤＮ）を介してコンテンツを配信する構成としてもよい。
【００５０】
ユーザ端末は、コンテンツを再生するとともに、ユーザによる選択に基づいてリスト情報を作成する（ステップＳ５）。具体的には、まず、図２のユーザ端末において、受信した候補コンテンツを再生部１２で再生して出力部１３から出力するとともに、入力部１４で受けたユーザの操作に基づいて選択を実施する。そして、選択結果に基づいてリスト情報が作られる。リスト情報は、候補コンテンツの選択箇所を特定する情報、選択された期間などを含む。
【００５１】
選択箇所を特定する情報としては、例えば映像コンテンツの場合には、コンテンツの所定の画素（位置）からの相対座標及び選択領域の大きさであってもよい。また、選択された期間は、再生開始時を基準とした当該期間の開始及び終了時間で表現されてもよく、前回の選択終了時からの差分の時間で表現されてもよい。例えば、リスト情報は、コンテンツ再生時間の０〜５秒で候補コンテンツの領域Ａが選択され、５〜７秒で領域Ｂが選択され、７〜８．５秒で領域Ｃが選択されたことを示す情報を含んでもよい。
【００５２】
ユーザ端末は、作成したリスト情報を、サーバに送信する（ステップＳ６）。サーバは、受信したリスト情報を、所定の記憶部（例えば、図３の記憶部２３）に記憶する（ステップＳ７）。ここで、ステップＳ６及びＳ７は、サーバにリスト情報を保持しない構成とする場合には実施しなくてもよい。この場合、ユーザ端末が有する記憶部１７にリスト情報が記憶されてもよい。
【００５３】
また、リスト情報は、ユーザ固有情報に含まれてもよい。これにより、サーバは、リスト情報を作成したユーザと、当該リスト情報と、を関連付けることができる。
【００５４】
（ユーザ端末のインターフェース）
次に、本発明に係るコンテンツ配信方法を実現するユーザ端末のインターフェースについて説明する。ここでは、サーバからユーザ端末に配信されるコンテンツは映像及び音声であるものとし、ユーザ端末が映像を選択して再生する場合を例に説明するが、これに限られない。例えば、コンテンツは、画像、音声、文字などを含む他のマルチメディアコンテンツの組み合わせであってもよい。また、コンテンツは複数の同じ種類のコンテンツで構成されてもよく、例えば複数の映像コンテンツから構成されてもよい。
【００５５】
図５は、本発明の一実施形態に係るユーザ端末によるコンテンツ編集画面の一例を示す図である。図５は、ユーザ端末が有する表示部１００を示している。表示部１００は、少なくとも第１表示部１１０と、第２表示部１２０と、を有する。なお、各表示部は、表示領域と呼ばれてもよい。
【００５６】
第１表示部（第１表示領域）１１０は、サーバから配信されるコンテンツ（候補コンテンツ）の再生結果を表示する。第１表示部１１０は、さらに複数の領域に分割される。図５では、第１表示部１１０に４つの分割領域（分割領域１１１〜１１４）が設定された場合の例が示されている。また、図５では、分割領域１１１〜１１４にそれぞれ対応するパターン１１５〜１１８が付されて候補コンテンツが表示されている。
【００５７】
本実施形態では、第１表示部１１０は、候補コンテンツの再生結果をそのまま全て表示するものとするが、これに限られない。例えば、第１表示部１１０は、候補コンテンツの所定の部分を表示する構成としてもよいし、候補コンテンツに所定の処理（例えば、拡大処理、補完処理など）を施したものを表示する構成としてもよい。
【００５８】
各パターン（パターン１１５〜１１８）は、それぞれ異なる模様、色彩、文字、形状又はこれらの組み合わせなどによって構成され、後述するシークバー１３３上に表示されたときに判別可能であればよい。また、図５では、各パターンは矩形の領域で示されているが、これに限られない。例えば、パターンは三角、円などの所定の形状の領域で示されてもよい。
【００５９】
各領域に対応するパターンは、候補コンテンツに事前に付与されてもよい。例えば、サーバ２０は、候補コンテンツの分割領域を決定し、それぞれ対応するパターンを付して候補コンテンツを作成してもよい。また、パターンは、受信装置（ユーザ端末１０）が再生時に付与してもよい。例えば、ユーザ端末１０は、再生部１２において、分割領域に関する情報に基づいて、候補コンテンツの分割領域を決定し、それぞれ対応するパターンを付したものを表示部１００で表示することができる。この場合、パターンは分割領域にオーバレイして表示されてもよい。
【００６０】
なお、パターンは、文字ではなく、模様及び／又は色彩によって構成することがより好ましい。この構成によれば、表示部１００のサイズが小さくシークバー１３３が小さい場合であっても、各パターンの視認性を向上することができ、ユーザの編集に係る体感品質を向上することができる。
【００６１】
第２表示部（第２表示領域）１２０は、第１表示部１１０に表示される所定の部分（候補コンテンツの一部）を表示する。本実施形態では、候補コンテンツのうち、分割領域１１１〜１１４のいずれかに対応する部分が第２表示部１２０に表示される。ここで、第２表示部１２０は、所定の分割領域に対応する部分をそのまま表示してもよいし、候補コンテンツの一部に所定の処理（例えば、拡大処理、補完処理など）を施したものを表示してもよい。第２表示部１２０への表示対象となる候補コンテンツの一部は、上述の選択コンテンツに相当する。
【００６２】
第２表示部１２０に表示される選択コンテンツは、図２で示したように、ユーザ端末が有する選択部１５によって複数の分割領域の中から選択される。具体的には、選択部１５は、ユーザ端末に対するユーザの操作に基づいて、選択を実施する。なお、ユーザの操作は、例えば表示部１００内に表示されるカーソルによってソフトウェア的に行われてもよいし、表示部１００の所定の部分（タッチパネル、ボタンなど）をユーザが物理的に押下することによってハードウェア的に行われてもよい。
【００６３】
例えば、タッチパネルで構成される表示部１００においてユーザが分割領域１１１をタッチすると、分割領域１１１に対応するコンテンツの部分が第２表示部１２０に表示される。なお、領域の選択は、一旦所定の領域が選択されると、次に別の領域が選択されるまでの期間は、上記所定の領域が選択され続けたものとすることができる。
【００６４】
これにより、第２表示部１２０は、サーバから配信された候補コンテンツの一部を適宜切り替えて表示することが可能である。言い換えると、第２表示部１２０は、ユーザがコンテンツについて自由に編集した結果を表示することができる。
【００６５】
なお、第２表示部１２０は、１つの分割領域よりも大きな領域を有することが好ましい。これにより、選択コンテンツの視聴及び確認を好適に行うことが可能となる。
【００６６】
再生指示部１３１は、ユーザの操作によって、コンテンツの再生をユーザ端末に指示するために用いられる。例えば、第１表示部１１０及び第２表示部１２０は、再生指示部１３１の操作によって、コンテンツの再生状態と一時停止状態とを切り替えることができる。
【００６７】
時間表示部１３２は、再生中のコンテンツの、現在の再生時間（再生位置）を示す。なお、時間表示部１３２は、当該コンテンツの総再生時間や、残り時間を表示してもよい。
【００６８】
シークバー１３３は、再生中のコンテンツの、総再生時間に対する現在の再生時間をスライダーにより視覚的に示すものである。また、シークバー１３３に係るスライダーの操作によって、第１表示部１１０及び第２表示部１２０に表示されるコンテンツの再生位置を変更することができる。
【００６９】
また、シークバー１３３は、上述のリスト情報に基づいて、第２表示部１２０で表示される第１表示部１１０の分割領域の選択結果を、コンテンツの再生時間と対応付けて所定のパターンとして表示する。これにより、候補コンテンツのうち、どの分割領域が選択部によって選択されたかについて、ユーザは視覚的に容易に理解することができる。
【００７０】
シークバー１３３の領域には、分割領域に対応するパターン１１５〜１１８のいずれかが表示される。図５の例では、再生開始を基準として、パターン１１６、１１５、１１７、１１８、１１５、１１７、１１５の順でシークバー１３３にパターンが表示されていることから、分割領域１１２、１１１、１１３、１１４、１１１、１１３、１１１の順で選択がされたことを示している。なお、再生時間中でコンテンツの選択が実施されていない時間に対応するシークバー１３３の領域には、いずれのパターンも表示されない構成としてもよいし、未選択を示す特定のパターンを表示する構成としてもよい。
【００７１】
編集モード表示部１３４は、編集モードがオン状態かオフ状態かを示す。また、編集モード表示部１３４は、ユーザの操作によって、編集モードをオン状態かオフ状態に切り替えることができる。ここで、編集モードとは、ユーザの操作による候補コンテンツの一部（分割領域）の選択結果をシークバー１３３に反映可能な状態であることを示す。すなわち、編集モードがオン状態の場合、ユーザによる分割領域の選択操作によって、候補コンテンツの再生領域の選択及び／又は再生順番の選択が可能である。一方、編集モードがオフ状態である場合は、シークバー１３３のスライダーが操作されたり、第１表示部１１０の分割領域が誤って選択されたりした場合でも、シークバー１３３の再生位置のパターンが上書きされる（すなわち、リスト情報が上書きされる）ことを回避できる。
【００７２】
リセット指示部１３５は、ユーザの操作によって、シークバー１３３に表示されたパターン及び／又はリスト情報をリセット（消去）する。なお、シークバー１３３のスライダーは、リセットと同時に所定の位置（例えば、再生開始位置）に戻されてもよいし、現在の位置を保持して再生を継続してもよい。
【００７３】
セーブ指示部１３６は、ユーザの操作によって、シークバー１３３に現在表示中のパターンに対応するリスト情報を、ユーザ端末が有する記憶部１７にセーブ（保存）する。なお、リスト情報は、ユーザによるセーブ指示部１３６の操作によらず、所定のタイミングで保存されてもよい。例えば、コンテンツの再生が終了した場合、自動的にリスト情報を保存する構成としてもよい。また、リスト情報は、サーバに送信されても良く、当該送信後ユーザ端末の記憶部１７から消去する構成としてもよい。
【００７４】
以上、本発明に係るコンテンツ配信方法を図５のインターフェースで実現する場合には、サーバから配信されるコンテンツについて、ユーザが候補コンテンツを参照しつつ所定の再生領域を自由に指定することで、所望の選択コンテンツに編集することができる。本実施形態では、コンテンツと選択したコンテンツの一部を同時に再生、表示することにより、ユーザはコンテンツの選択を容易に行うことができる。また、候補コンテンツのうち選択した領域の選択順番及び期間はリスト情報として保存することができるため、ユーザは編集したリスト情報に従って選択コンテンツを繰り返し視聴することができる。
【００７５】
（表示部の変形例）
なお、表示部１００の構成は、図５に限られない。例えば、図５では、第１表示部１１０が、分割領域１１１〜１１４の４つに分割される例を示したが、分割領域の数は、２、６、８などであってもよい。また、分割領域の大きさは、同じであることが好ましいが、異なっていてもよい。
【００７６】
図６に、第１表示部１１０の分割領域の数が６である場合の一例を示す。図６では、各分割領域に対応するパターンが６つ表示されている。また、表示部１００には、図６に示すように、再生中のコンテンツに係る情報を示す情報表示部１４０があってもよい。また、図６に示すように、第２表示部１２０に表示される選択コンテンツの品質を指定するための品質指定部１５０があってもよい。
【００７７】
なお、各部の配置は図５や、図６のレイアウトに限られない。例えば、編集モード表示部１３４を有さなくてもよい。また、保存したリストを呼び出すための操作部（例えば、ボタン）を有する構成としてもよい。また、ユーザからの所定の入力操作により、表示部１００のレイアウトを変更する構成としてもよい。また、所定の操作により、第１表示部１１０、第１表示部１１０中の分割領域、第２表示部１２０の大きさ及び／又は数を変更する構成としてもよい。
【００７８】
例えば、図５のように第１表示部１１０及び第２表示部１２０が表示されている場合に、ユーザが所定の操作を行うことで、現在第２表示部１２０に表示されている選択コンテンツを、表示部１００に全画面表示する構成としてもよい。図７は、選択コンテンツを全画面表示する場合の一例を示す図である。例えば、表示部１００が図５の表示を行っている場合に、ユーザが第２表示部１２０を操作（例えば、表示部１００がタッチパネルで構成されている場合、タッチ、スライドなど）することで、第２表示部１２０に表示中の選択コンテンツを、図７のように全画面表示する構成としてもよい。
【００７９】
また、図５では、第１表示部１１０の分割領域から選択された１つの分割領域が第２表示部１２０に表示されるものとしたが、第２表示部１２０に表示される分割領域の数はこれに限られない。すなわち、選択コンテンツが複数あってもよい。例えば、第１表示部１１０の分割領域から選択された２つの分割領域が第２表示部１２０に並列に表示されてもよい。この場合、リスト情報は複数の選択コンテンツに関する情報を含む構成とすることができる。
【００８０】
（候補コンテンツの例）
図５の例では、サーバから配信される候補コンテンツは１つの映像ファイルであり、第１表示部１１０の各分割領域にそれぞれ当該映像の一部が表示され、第２表示部１２０には選択された映像の一部が表示される構成とした。この場合には、第１表示部１１０に描画された１つの候補コンテンツから、所定の領域を選択した結果を選択コンテンツとして決定することができる。
【００８１】
一方、本発明に係るコンテンツ配信方法は、候補コンテンツが１つのコンテンツとして配信される場合だけでなく、複数のコンテンツとして配信される場合にも適用可能である。複数のコンテンツが配信される場合には、各候補コンテンツから所定の候補コンテンツを選択した結果を選択コンテンツとして決定することができる。例えば、サーバから４つの映像ファイルが配信される場合には、図５の第１表示部１１０の各分割領域にそれぞれ別の映像が表示され、第２表示部１２０に選択された１つの映像ファイルが表示される構成としてもよい。
【００８２】
いずれの場合にも、ユーザ端末の第２表示部１２０に描画する選択コンテンツは、第１表示部１１０に描画する候補コンテンツの一部と同一である。このとき、第２表示部１２０に描画する選択コンテンツは、第１表示部１１０に描画する候補コンテンツの複製（コピー）であってよい。あるいは、第１再生部の再生結果を直接出力部１３に出力して、第１表示部１１０及び第２表示部１２０に、それぞれ候補コンテンツ及び選択コンテンツを表示してもよい。このため、候補コンテンツを受信している場合、選択する領域を切り替えるときでも別途コンテンツを受信する必要がなく、コンテンツの読み込みによる遅延が低減される。これにより、ユーザによる自由なコンテンツの切り替え及び編集を低遅延で実現することができ、コンテンツ再生に係る編集におけるユーザの体感品質の劣化を低減可能である。なお、選択コンテンツは、候補コンテンツの複製でなく、別途配信される構成としてもよい。この場合、選択コンテンツは、候補コンテンツと時間同期して配信されることが好ましい。
【００８３】
また、候補コンテンツや選択コンテンツは、所定の条件を満たす場合に、高品質（例えば、高解像度）のコンテンツが配信される構成としてもよい。この構成によれば、例えば、編集モードがオン状態のときは、低解像度のコンテンツを配信してネットワーク負荷及びユーザ端末に係る再生負荷を低減することができる一方、作成したリスト情報に基づいて再生するとき（又は編集モードがオフ状態のとき）は、高解像度のコンテンツを配信してユーザの体感品質を向上することができる。
【００８４】
また、サーバからユーザ端末に配信されるコンテンツは映像に限られない。例えば、コンテンツが音声を含む場合、図５の各分割領域１１１〜１１４（各領域の表示は任意の画像又は映像でよい）がそれぞれ別の音声に対応し、選択した分割領域により再生される音声を変更する構成としてもよい。また、コンテンツが映像及び音声を含む場合、選択した分割領域により再生される映像は変更するが、音声は変更しない（所定のコンテンツの音声を再生する）構成としてもよい。例えば、候補コンテンツは、音声及び複数の映像を結合して構成される場合には、１つの音声から構成されることがより好ましい。この構成によれば、選択により第２表示部１２０に表示される映像が切り替わる場合にも、音声の途切れがなくなるため、コンテンツ視聴に係るユーザの体感品質の低下を抑制することができる。
【００８５】
（第２の処理シーケンス）
図８は、本発明の一実施形態に係る処理の別の一例を示すシーケンス図である。図８は、作成されたリスト情報に基づいて、選択コンテンツを再生する処理のシーケンスを示している。図８の例では、図４のステップＳ７により、リスト情報がサーバに格納されたことを前提として説明する。
【００８６】
図８のステップＳ１１は、図４のステップＳ１と同様であってよいため、説明を省略する。ステップＳ１１の後、ユーザ端末は、再生したいコンテンツと、当該コンテンツに係るリスト情報と、を選択する（ステップＳ１２）。図９は、第２の実施形態に係るリスト情報の選択画面の一例を示す図である。第１の処理シーケンスで述べたコンテンツ選択画面でコンテンツが選択された後、このようなリスト情報の選択画面が表示される構成としてもよい。図９に示すように、表示部１００のリスト情報選択画面には、例えばリスト情報の作成日時と、作成したリスト情報に係るシークバー１３３のパターンと、を並べて表示することができる。ユーザは、いずれかのシークバーを操作することにより、リスト情報を選択することができる。
【００８７】
次に、ユーザ端末は、サーバに対して、コンテンツ配信要求を送信する（ステップＳ１３）。また、コンテンツ配信要求に加えて、リスト情報を指定するための情報（リスト情報要求）を送信してもよい。例えば、ユーザ端末は、配信を要求するコンテンツについて保存されたリスト情報のうち、何番目のリスト情報であるかを示す情報を、リスト情報要求として送信することができる。
【００８８】
サーバは、コンテンツ配信要求を受信すると、要求されたコンテンツをユーザ端末に配信する（ステップＳ１４）。ここで、サーバは、コンテンツに加えて、当該コンテンツに関するリスト情報をユーザ端末に送信する。リスト情報は、ユーザ端末から通知されたリスト情報要求によって特定されてもよいし、サーバが保持するリスト情報の中からユーザ固有情報に基づいて決定されてもよい。
【００８９】
ユーザ端末は、受信したリスト情報に基づいて、コンテンツの再生を実施する（ステップＳ１５）。具体的には、図５に示したような表示部１００において、受信したリスト情報によって示されるパターンがシークバー１３３に表示されるとともに、図２に示した選択部１５が、当該リスト情報に基づいて第２表示部１２０に表示する選択コンテンツを決定する。
【００９０】
さらに、ユーザ端末は、受信したリスト情報を編集することができる（ステップＳ１６）。具体的には、ステップＳ１５でコンテンツ再生中に、ユーザの操作などにより編集モードをオン状態に設定した後は、ユーザによる候補コンテンツの選択がシークバー１３３に更新される（上書きされる）ようになり、セーブ指示部１３６の操作によって更新した選択結果に基づいて、新たにリスト情報を保存してもよい。また、新たなリスト情報は、図４のステップＳ６のようにサーバに送信され、更新されてもよい。
【００９１】
なお、サーバは、ステップＳ１４で、要求されたコンテンツを候補コンテンツとして配信してもよいし、リスト情報に含まれる選択コンテンツのみを配信してもよい。候補コンテンツとして配信する構成によれば、リスト情報に従って、候補コンテンツから所定の領域を選択して再生することができる。一方、選択コンテンツのみを配信する構成によれば、第１表示部１１０を利用する編集を行う必要がない場合に、第１表示部１１０に表示する候補コンテンツを配信しないことで配信データ量を低減することができる。また、第１表示部１１０に表示する候補コンテンツを配信しない分、選択コンテンツの高品質化を実現することができる。
【００９２】
なお、表示部１００に、リスト情報を選択するためのリスト情報指示部が設けられてもよい。例えば、リスト情報指示部を操作することにより、図９に示したようなリスト情報選択画面が表示されてもよい。これにより、コンテンツの再生中（例えばステップＳ１５）であっても、別のリスト情報に基づいて選択コンテンツの視聴が可能となる。
【００９３】
（リスト情報の応用例）
リスト情報の応用例について説明する。上述の実施形態では、リスト情報が所定のユーザに関連付いている例を説明したが、他のユーザが作成したリスト情報を用いてコンテンツの視聴を行ってもよい。具体的には、リスト情報を他のユーザと共有（シェア）する構成としてもよい。例えば、ユーザ固有情報として、他のユーザとの関係（友人、恋人、家族など）を設定できる場合には、自分が作成したリスト情報が所定の関係のユーザに共有されてもよい。
【００９４】
例えば、所定のコンテンツについてサーバに保存されたリスト情報が、複数のユーザに公開される構成としてもよい。この場合、図８に示したステップＳ１２において、例えば図９のリスト情報選択画面に各ユーザが作成したリスト情報が表示される。ユーザは、任意のリスト情報を選択することができ、他のユーザにより編集された選択コンテンツを楽しむことができる。
【００９５】
さらに、サーバは、各リスト情報について各ユーザから行われたリスト情報要求の回数を記録する構成としてもよい。これにより、例えばサーバは、提供するリスト情報選択画面に、ランキング形式でリスト情報を表示することができる。このようにすることで、各ユーザは、自分の作成したリスト情報が人気であるかを判断することができるため、コンテンツの編集意欲が刺激され、本発明のコンテンツ配信システムの利用が活性化される。
【００９６】
リスト情報は、ユーザ間で送受信、交換などが可能な構成としてもよい。また、リスト情報は、所定の形式（例えば、ＱＲコード（登録商標）、シリアルコードなど）として発行されてもよい。例えば、ユーザ端末が、作成したリスト情報について、シリアルコード発行要求をサーバに対して実施する。当該要求を受けたサーバは、対応するシリアルコードをユーザ端末に送信する。別のユーザ端末が、例えばユーザの入力によりシリアルコードをサーバに送信すると、サーバは当該コードによって指定されるリスト情報を返信することができる。つまり、シリアルコードの送信は、図８におけるリスト情報要求に相当するともいえる。なお、シリアルコードなどは、商品や景品に付与されてもよい。
【００９７】
また、上述の実施形態では、サーバからは候補コンテンツが配信され、選択コンテンツは候補コンテンツから抜き出される構成としたが、サーバは、リスト情報に基づいて候補コンテンツから選択コンテンツを生成して直接配信する構成としてもよい。例えば、複数の候補コンテンツから、リスト情報で指定される再生順番でコンテンツを結合してエンコードを行って、１つのコンテンツを生成してもよい。このようにすることで、サーバに係る配信処理の負荷を低減することができる。
【００９８】
また、リスト情報に基づいて、選択コンテンツからなる動画ファイルを生成できる構成としてもよい。これにより、生成した動画ファイルを、動画サイト（例えば、ＹｏｕＴｕｂｅ（登録商標））にアップロードしたり、ＤＶＤやＢｌｕ−Ｒａｙ  Ｄｉｓｃ（登録商標）などのメディアに記録し、販売及びプレゼントに活用したりするなどが可能となる。
【００９９】
（その他の構成）
なお、上述の実施形態に係るサーバは、各種機能を有していてもよい。例えば、ユーザ端末上で動作するアプリの管理、複数アーティストの情報の一元管理、コンサートの管理、セットリストの管理、配信動画情報の管理、ニュース配信の管理、レシート情報（購入情報）の管理、プロデュース情報（リスト情報）の管理、ユーザ管理、シリアルコードの管理、他サービス／システムとの連携ＡＰＩ、外部認証（例えば、ＯＡｕｔｈ  ２．０）などの機能を有していてもよい。
【０１００】
また、上述の実施形態に係るユーザ端末で動作するアプリは、各種機能を有していてもよい。例えば、マルチアングル映像の視聴、ユーザに対するチュートリアル、コンサート一覧の表示、セットリストの表示、各種設定、バージョン管理、ＰＵＳＨ通知、課金（ストア課金、アイテム購入など）、編集ログ（リスト情報保存）機能、ストリーミング再生、プロデュースモード再生（編集モードオン状態の再生）、ニュース閲覧、コンテンツ（動画）のダウンロード、ＤＲＭにより保護されたコンテンツの再生、端末変更対応（例えば、機種変更）などの機能を有していてもよい。なお、アプリは、Ａｎｄｒｏｉｄ（登録商標）  ＯＳ、ｉＯＳ（登録商標）などのＯＳで動作するネイティブアプリであってもよく、所定のブラウザで動作するＷｅｂアプリであってもよく、Ｆｌａｓｈで動作するものであってもよい。
【０１０１】
また、アプリは、単一のアーティスト／イベント専用に用いられる構成としてもよいし、複数のアーティスト／イベントの配信に対応する構成としてもよい。
【０１０２】
また、上述の実施形態では、送信装置であるサーバと、受信装置であるユーザ端末で動作するアプリから成るコンテンツ配信システムを示したが、これに限られない。例えば、受信側に、アプリではなく、大型ディスプレイなどを有する所定の視聴システムを採用してよく、本発明に係るコンテンツ配信システムを、放送や、パブリックビューイングを始めとしたイベントに用いてもよい。例えば、本発明に係るコンテンツ配信システムを用いて、映画館、飲食店、イベントスペース、公共空間での上映を行うことができる。
【０１０３】
なお、上記実施形態の説明に用いたブロック図は、機能単位のブロックを示している。これらの機能ブロック（構成部）は、ハードウェア及びソフトウェアの任意の組み合わせによって実現される。また、各機能ブロックの実現手段は特に限定されない。すなわち、各機能ブロックは、物理的に結合した１つの装置により実現されてもよいし、物理的に分離した２つ以上の装置を有線又は無線で接続し、これら複数の装置により実現されてもよい。
【０１０４】
例えば、ユーザ端末１０やサーバ２０の各機能の一部又は全ては、ＡＳＩＣ（Application  Specific  Integrated  Circuit）、ＰＬＤ（Programmable  Logic  Device）、ＦＰＧＡ（Field  Programmable  Gate  Array）などのハードウェアを用いて実現されても良い。また、ユーザ端末１０やサーバ２０は、プロセッサ（ＣＰＵ：Central  Processing  Unit）と、ネットワーク接続用の通信インターフェースと、メモリと、プログラムを保持したコンピュータ読み取り可能な記憶媒体と、を含むコンピュータ装置によって実現されてもよい。
【０１０５】
ここで、プロセッサやメモリなどは情報を通信するためのバスで接続される。また、コンピュータ読み取り可能な記録媒体は、例えば、フレキシブルディスク、光磁気ディスク、ＲＯＭ、ＥＰＲＯＭ、ＣＤ−ＲＯＭ、ＲＡＭ、ハードディスクなどの記憶媒体である。また、プログラムは、電気通信回線を介してネットワークから送信されても良い。
【０１０６】
ユーザ端末１０やサーバ２０の機能構成は、上述のハードウェアによって実現されてもよいし、プロセッサによって実行されるソフトウェアモジュールによって実現されてもよいし、両者の組み合わせによって実現されてもよい。プロセッサは、オペレーティングシステムを動作させてユーザ端末の全体を制御する。また、プロセッサは、記憶媒体からプログラム、ソフトウェアモジュールやデータをメモリに読み出し、これらに従って各種の処理を実行する。ここで、当該プログラムは、上記の各実施形態で説明した各動作を、コンピュータに実行させるプログラムであれば良い。例えば、ユーザ端末１０の制御部１８は、メモリに格納され、プロセッサで動作する制御プログラムによって実現されてもよく、他の機能ブロックについても同様に実現されてもよい。
【０１０７】
以上、本発明について詳細に説明したが、当業者にとっては、本発明が本明細書中に説明した実施形態に限定されるものではないということは明らかである。例えば、上述の各実施形態は単独で用いてもよいし、組み合わせて用いてもよい。本発明は、特許請求の範囲の記載により定まる本発明の趣旨及び範囲を逸脱することなく修正及び変更態様として実施することができる。したがって、本明細書の記載は、例示説明を目的とするものであり、本発明に対して何ら制限的な意味を有するものではない。
【産業上の利用可能性】
【０１０８】
本発明は、送信装置がネットワークを介して受信装置にコンテンツを配信するコンテンツ配信システムに適用することができる。
【符号の説明】
【０１０９】
１…コンテンツ配信システム
１０…ユーザ端末（受信装置）
１１…送受信部
１２…再生部
１３…出力部
１４…入力部
１５…選択部
１６…リスト情報管理部
１７…記憶部
１８…制御部
２０…サーバ（送信装置）
２１…送受信部
２２…決定部
２３…記憶部
２４…制御部
２５…通信部
３０…ネットワーク
１００…表示部
１１０…第１表示部
１２０…第２表示部
１３３…シークバー
【図１】
2016039612.tif 000003
【図２】
2016039612.tif 000004
【図３】
2016039612.tif 000005
【図４】
2016039612.tif 000006
【図５】
2016039612.tif 000007
【図６】
2016039612.tif 000008
【図７】
2016039612.tif 000009
【図８】
2016039612.tif 000010
【図９】
2016039612.tif 000011